(57)【特許請求の範囲】
【請求項１】
二枚重ねとなるように折り込まれた弾性板材の一端側に縦方向等間隔毎に複数のリング取付孔を穿設し、且つ折り返し他端側を一端側よりも若干長く延設して成る台紙と、該台紙のリング取付孔に一端が保持され、筆記用紙の綴じ孔に挿通された他端側を前記台紙の折り返し他端側縁部に着脱可能に係架させる開放リング状の綴じリングとを備えたことを特徴とするノートの綴じ具。
【請求項２】
綴じリングは、線材の長手方向に沿っての等間隔毎に直角方向に向けて略コ字形に突出するように折曲形成され、これら略コ字形突出部分を円弧状に湾曲させることによって形成した請求項１記載のトートの綴じ具。
【発明の詳細な説明】
【技術分野】
【０００１】
本発明は、筆記用紙を綴じ込むための所謂リングノートと称するノートの綴じ具に関する。
【背景技術】
【０００２】
従来、この種のリングノートの綴じ具としては、特許文献１に開示されているように、スパイラル状に延びる一本の線材からなる綴じリングを用い、これを表紙と筆記用紙とに形成された多数の綴じ孔に挿通することによって構成され、前記綴じリングは、所定の押圧力で変形可能な柔軟性を備えた軟質材料により構成されるという技術が存在する。このような構成とすることで、例えば、ノートを見開き状態として所要の筆記作業を行う際に、手首等の領域が綴じリングに跨がように乗る姿勢となっても、その重さによって綴じリングが倒れ込むように変形するようになり、手首領域を痛めることを効果的に防止している。
【特許文献１】特開２０００−１４１９７３号公報
【発明の開示】
【発明が解決しようとする課題】
【０００３】
しかしながら、従来においては、スパイラル状に延びる一本の線材からなる綴じリングを表紙と筆記用紙とに形成された多数の綴じ孔に挿通することによって筆記用紙自体が綴じ込まれているため、該筆記用紙の脱着が不可能な構造となっている。特に、筆記用紙を束ごと交換することは不可能である。しかも、綴じリングから筆記用紙を取り外す場合には、これを強制的に引き抜いて綴じ孔を破断しなければならない問題がある。
【０００４】
そこで、本発明は、叙上のような従来存した諸事情に鑑み案出されたもので、筆記用紙の綴じ孔を破断させずにこれを束ごと脱着することができ、したがって、筆記用紙の補充や新規の筆記用紙との交換が容易に行えるものとしたノートの綴じ具を提供することを目的とする。
【課題を解決するための手段】
【０００５】
上述した課題を解決するため、本発明にあっては、二枚重ねとなるように折り込まれた弾性板材の一端側に縦方向等間隔ごとに複数のリング取付孔を穿設し、且つ折り返し他端側を一端側よりも若干長く延設して成る台紙と、該台紙のリング取付孔に一端が保持され、筆記用紙の綴じ孔に挿通された他端側を前記台紙の折り返し他端側縁部に着脱可能に係架させる開放リング状の綴じリングとを備えたことを特徴とする。
【０００６】
綴じリングは、線材の長手方向に沿っての等間隔ごとに直角方向に向けて略コ字形に突出するように折曲され、これら略コ字形突出部分それぞれを一方向に円弧状に湾曲させることによって形成して成る。
【発明の効果】
【０００７】
本発明によれば、筆記用紙の綴じ孔を破断させずにこれを束ごと脱着することができ、したがって、筆記用紙の補充や新規の筆記用紙との交換が容易かつ迅速に行える。
【発明を実施するための最良の形態】
【０００８】
以下、図面を参照して本発明を実施するための最良の一形態を説明する。
図において示される符号１は、筆記用紙Ｐを綴じるための綴じ具であり、該綴じ具１は、図２および図３に示すように、例えば硬質紙または塩ビ等の弾性を有する矩形状の板材を略中央の折り込み部分Ｑを介して二枚重ねとなるように折り込まれた台紙２と、該台紙２の一端に縦方向等間隔ごとに穿設したリング取付孔２ａに挿入保持されるよう一部が開放された略Ｄリング状の綴じリング３とから構成されている。そして、台紙２の折り返し他端２ｂ側は、当該台紙２の一端側よりも若干長く延設してある。
【０００９】
綴じリング３は、図２に示すように、１本の線材を長手方向に沿って等間隔ごとに直角方向に向けて略コ字形に突出するように折曲することで、縦方向の基端部３ａを介して互いに横向き並行となる略コ字枠状の複数のヒダ部３ｂが形成され、図３に示すように、これら略コ字形突出部分であるヒダ部３ｂそれぞれを一方向に向けて円弧状に湾曲させてある。そして、図３に示すように、台紙２のリング取付孔２ａに反対側からヒダ部３ｂが挿入され、当該基端部３ａが各リング取付孔２ａ相互間で係止させてから、台紙２の縁端部側を基端部３ａを巻き込むようにしてリング取付孔２ａ手前から内側に折り畳み、先端部を接着剤等でもって固定してある。
【００１０】
さらに、図３に示すように、ヒダ部３ｂの先端を若干内側に向けて略Ｌ字状に屈曲することで係止部３ｃが形成され、この係止部３ｃに、台紙２の折り返し他端２ｂ側が着脱可能に係架保持されるようにしてある。こうして、綴じリング３の係止部３ｃを、筆記用紙Ｐの綴じ孔Ｐ１（図１、図４、図５に示す）に挿入し、ヒダ部３ｂに沿って反転させて台紙２上面に載置させることで綴じ具１に筆記用紙Ｐが取り付けられる。その後、台紙２の折り返し他端２ｂ側を係止部３ｃに係架保持することで、綴じリング３自体が閉塞され、これによって綴じリング３から筆記用紙Ｐが離脱されないものとなる。なお、綴じリング３の両端を延長して台紙２に当接する足部３ｄを設け、これによって当該リング３が図３の位置に固定され回転しないようになっている。
【００１１】
また、図４に示すように、台紙２の折り返し他端２ｂ側下面には、表紙４の一端４ａ側が接着剤等によって固定され、表紙２の他端側は綴じリング３を巻き込むようにしてから筆記用紙Ｐ上面を覆うようにしてある。
【００１２】
そして、図１に示すように、一端側に袋部５ａを備えた矩形状のカバー表紙５の当該袋部５ａに台紙２の折り込み部分Ｑ側を挿入して、カバー表紙５の他端覆い部５ｂ側で表紙４上面を覆うものとしてある。
【００１３】
次に、以上のように構成された最良の形態についての使用、組立の一例について説明する。
綴じ具１から筆記用紙Ｐを束ごと取り外す場合には、図１に示すように、カバー表紙５の袋部５ａから台紙２の折り込み部分Ｑ側を抜き出してから、図５に示すように、筆記用紙Ｐと表紙４とを互いに反対方向に引っ張る。
【００１４】
このとき、台紙２の折り返し他端２ｂ側が表紙４を介して下方に引っ張られ、当該台紙２自体の弾性によって円弧状に撓曲するものとなり、これによって綴じリング３の係止部３ｃから台紙２の折り返し他端２ｂ側の縁部が外される。そして、筆記用紙Ｐを１８０°反転させて綴じリング３から取り外せば良い。
【００１５】
また、新規の筆記用紙Ｐを綴じ具１に装着する際には、筆記用紙Ｐの綴じ孔Ｐ１に、綴じリング３の係止部３ｃを挿入し、ヒダ部３ｂに沿って反転させて台紙２上面に載置させた後、台紙２の折り返し他端２ｂ側を係止部３ｃに係架保持する。このとき、綴じリング３の係止部３ｃは折り返し他端２ｂによって閉塞され、これによって綴じリング３から筆記用紙Ｐが離脱されないものとなる。
【００１６】
そして、図１に示すように、カバー表紙５の袋部５ａに台紙２の折り込み部分Ｑ側を挿入して、カバー表紙５の他端覆い部５ｂ側で表紙４上面を覆うようにする。
【００１７】
図６および図７には、本形態における台紙の他例が示されている。
すなわち、図６に示すように、筆記用紙Ｐに対面する台紙２の中央には、指先が挿入できる程度の大きさの押出用孔部６が穿設され、この押出用孔部６を介して台紙２の折り返し他端２ｂ側を下方に押し出せるようにしてある。このとき、図７に示すように、指先を押出用孔部６に挿入して台紙２の折り返し他端２ｂ側を下方に押し出すと、当該折り返し他端２ｂ自体は台紙２自体の弾性によって円弧状に撓曲するものとなり、これによって綴じリング３の係止部３ｃから台紙２の折り返し他端２ｂ側の縁部が容易に外されるものとなる。
【００１８】
図８および図９には、本形態における綴じ具１の他例が示されている。
本形態においては、綴じ具１自体を手帳タイプもしくは名刺タイプのサイズに形成してある。すなわち、綴じ具１は、図８に示すように、手帳タイプもしくは名刺タイプのサイズを有する矩形状の板材を略中央の折り込み部分Ｑを介して二枚重ねとなるように折り込まれた台紙２と、図９に示すように、該台紙２の一端に縦方向等間隔ごとに穿設したリング取付孔２ａに挿入保持されるよう一部が開放された略Ｃリング状の綴じリング３とから構成されている。
【００１９】
さらに、図１１には、綴じリング３の他例が示されている。
すなわち、図１乃至図９に示す綴じリング３は全て１本の線材により形成されているが、本例においては２本の線材により形成されている。図１１において、３Ａはその二重リング部分を示す。これによって綴じリング３自体の強度を向上させることができる。また、筆記用紙Ｐ等を引っ張った際にも、綴じ孔Ｐ１における破断を極力少なくすることができる。尚、図１１中、二重リング３Ａ以外は、図１と同一構成および同一符号を示すのでそれらの説明は省略する。
【００２０】
そして、図１０に示すように、一端側に袋部５ａを備えた手帳タイプもしくは名刺タイプのサイズを有する矩形状のカバー表紙５が形成され、当該袋部５ａに台紙２の折り込み部分Ｑ側を挿入して、カバー表紙５の他端覆い部５ｂ側で筆記用紙Ｐ上面を覆うものとしてある。また、上記したように、筆記用紙Ｐに対面する台紙２の中央には、指先が挿入できる程度の大きさの押出用孔部６が穿設されていても良い。
尚、本発明は、以上の実施例に限ることなく、本発明の技術的思想の範囲内であれば種々な設計変更が可能である。
【図面の簡単な説明】
【００２１】
【図１】本発明を実施するための最良の形態における綴じ具の使用状態を示す一部を切欠した斜視図である。
【図２】同じく綴じリングを備えた台紙の一部切欠平面図である。
【図３】同じく綴じリングを備えた台紙の側面図である。
【図４】同じく綴じ具に筆記用紙と表紙を取り付けた状態の断面図である。
【図５】同じく綴じ具の綴じリングから筆記用紙を束ごと取り外す状態を示す断面図である。
【図６】同じく本実施の形態における台紙の他例を示す一部を切欠した斜視図である。
【図７】同じく綴じ具の綴じリングから筆記用紙を束ごと取り外す状態を示す断面図である。
【図８】同じく手帳タイプまたは名刺タイプの綴じ具の一例を示す平面図である。
【図９】同じく綴じ具に筆記用紙とカバー表紙を取り付けた状態の断面図である。
【図１０】同じく表紙カバーの一例を示し、（ａ）は平面図、（ｂ）は側面図である。
【図１１】同じく他例における綴じ具の使用状態を示す一部を切欠した斜視図である。
【符号の説明】
【００２２】
Ｐ    筆記用紙
Ｐ１  綴じ孔
Ｑ    折り込み部分
１    綴じ具
２    台紙
２ａ  リング取付孔
２ｂ  折り返し他端
３    綴じリング
３ａ  基端部
３ｂ  ヒダ部
３ｃ  係止部
３ｄ  足部
４    表紙
４ａ  表紙の一端
５    カバー表紙
５ａ  袋部
５ｂ  他端覆い部
６    押出用孔部
【図１】
0004838046.tif 000002
【図２】
0004838046.tif 000003
【図３】
0004838046.tif 000004
【図４】
0004838046.tif 000005
【図５】
0004838046.tif 000006
【図６】
0004838046.tif 000007
【図７】
0004838046.tif 000008
【図８】
0004838046.tif 000009
【図９】
0004838046.tif 000010
【図１０】
0004838046.tif 000011
【図１１】
0004838046.tif 000012